(57)【要約】【課題】  機械的帰零状態における電気的駆動の継続による電池の消耗を防ぎ得るクロノグラフ時計の提供【解決手段】  クロノグラフ指針が電気的に駆動制御され機械的に帰零制御されるクロノグラフ時計１は、クロノグラフ指針運針用モータ３５を回転させる回転駆動エネルギを該モータに与える駆動回路５３と、駆動回路５３からモータ３５への回転駆動エネルギの供給を制御する駆動制御手段とを有する。駆動制御手段は、駆動回路５３に回転駆動エネルギの供給を行わせる主駆動パルスを与える駆動パルス発生回路５２と、駆動パルス発生回路５２から駆動回路５３に主駆動パルスが与えられた条件下でモータ３５が非回転の場合に非回転検出信号Ｖを出す回転検出回路５５と、回転検出回路５５から所定時間以上継続的に非回転検出信号Ｖが出された場合、駆動パルス発生回路５２からの主駆動パルスＴの発生を停止させる帰零判定部５４とを有する。【選択図】  図１
2009174949.tif 000002
【特許請求の範囲】
【請求項１】
クロノグラフ指針が電気的に駆動制御され機械的に帰零制御されるクロノグラフ時計であって、
クロノグラフ指針運針用モータを回転させる回転駆動エネルギを該モータに与えるクロノグラフ指針運針用モータの駆動手段と、
該駆動手段からクロノグラフ指針運針用モータへの回転駆動エネルギの供給を制御するクロノグラフ指針運針用モータの駆動制御手段とを有し、
該駆動制御手段は、
前記駆動手段に前記回転駆動エネルギの供給を行わせる主駆動パルスを与える駆動パルス発生手段と、
該駆動パルス発生手段から前記駆動手段に主駆動パルスが与えられた条件下で前記クロノグラフ指針運針用モータが回転していない場合に非回転検出信号を出すクロノグラフ指針運針用モータの回転検出手段と、
該回転検出手段から所定時間以上継続的に非回転検出信号が出された場合、クロノグラフ指針の帰零指示があったとみなして前記駆動パルス発生手段からの主駆動パルスの発生を停止させる帰零判定手段と
を有するクロノグラフ時計。
【請求項２】
クロノグラフ秒をカウントするクロノグラフ秒カウンタ及びクロノグラフ分をカウントするクロノグラフ分カウンタを更に有し、
前記帰零判定手段は、回転検出手段から所定時間以上継続的に非回転検出信号が出された場合、クロノグラフ秒カウンタ及びクロノグラフ分カウンタをリセットするように構成されている請求項１に記載のクロノグラフ時計。
【請求項３】
前記帰零判定手段は、通常状態ではクロノグラフ指針の帰零指示に応じて電気的に作動して駆動パルス発生手段からの主駆動パルスの発生を停止させるように構成されている請求項１又は２に記載のクロノグラフ時計。
【請求項４】
前記回転検出手段は、主駆動パルス直後に発生する回転検出用制御パルスに応答する誘起電圧を検出して回転・非回転を検出し、ロータが非回転状態の場合に非回転検出信号を前記帰零判定手段に与えると共に前記補正駆動パルスを発生させるべく前記駆動パルス発生手段を制御するように構成されている請求項１から３までのいずれか一つの項に記載のクロノグラフ時計。
【請求項５】
前記回転検出手段は、非回転検出信号を前記帰零判定手段に与える場合、前記駆動パルス発生手段が前記駆動パルスの直後にロータを回転振動させるための狭幅の駆動パルスを発生させるべく前記駆動パルス発生手段を制御するように構成されている請求項４に記載のクロノグラフ時計。
【請求項６】
通常動作では、リセットボタンの押圧に応じてリセット用接点部が閉成されて前記帰零判定手段が作動するように構成されている請求項１から５までのいずれか一つの項に記載のクロノグラフ時計。
【請求項７】
通常動作では、リセットボタンの押圧に応じて押下げられるリセット用スイッチばねによりリセット用接点部が閉成されて前記帰零判定手段が作動するように構成されている請求項６に記載のクロノグラフ時計。
【請求項８】
スタート／ストップボタンの押圧に応じて押下げられるスタート／ストップ用スイッチばねにより、スタート／ストップ用接点部が接触して前記クロノグラフ指針運針用モータの前記駆動制御手段が作動するように構成されている請求項１から７までのいずれか一つの項に記載のクロノグラフ時計。
【請求項９】
クロノグラフ指針がハンマーにより強制的に帰零されるカムのある真に取付けられている請求項１から８までのいずれか一つの項に記載のクロノグラフ時計。
【発明の詳細な説明】
【技術分野】
【０００１】
本発明は、クロノグラフ時計に係る。
【背景技術】
【０００２】
クロノグラフ時計としては、駆動及び帰零の両方を機械的に行うものだけでなく、駆動及び帰零の両方を電気的に行うものも知られている。また、クロノグラフ指針が電気的に駆動制御され機械的に帰零制御されるタイプのクロノグラフ時計も知られている。
【０００３】
例えば、クロノグラフ時針やクロノグラフ分針等が、モータにより回転駆動され、カムにより機械的に帰零されるクロノグラフ時計は、知られている（特許文献１）。
【０００４】
この特許文献１に開示のクロノグラフ時計のように、クロノグラフ指針が電気的に駆動制御され機械的に帰零制御されるタイプのクロノグラフ時計では、リセットボタンの押圧によるリセット指示があると、一方では、復針に関連するレバーの制御下でハンマーがハートカムを叩いて、クロノグラフ時針及びクロノグラフ分針を強制的に帰零させ、他方では、電気的な駆動をリセットすべく、関連するカウンタを停止しリセットする。
【０００５】
特に、特許文献１の従来技術の欄に記載のようにクロノグラフ秒針も電気的に駆動され機械的に帰零されるタイプのクロノグラフ時計でクロノグラフ運針動作中に帰零指示に応じて帰零制御されるものでは、スタートボタンが押されてクロノグラフ時計が動作状態（運針動作中）であるときにリセットボタンによるリセット指示があると、一方では、復針に関連するレバーの制御下でハンマーがハートカムを叩いてクロノグラフ分針やクロノグラフ秒針を強制的に帰零させ、他方では、電気的な駆動を停止しリセットすべく、モータの回転駆動を停止すると共にカウンタの計数を停止し計数値をリセットすることになる。
【０００６】
ところが、帰零に係るスイッチ等の接点の動作に不具合が生じると、電気的なリセット動作が行われず、クロノグラフ車の回転がカムにより機械的に（強制的に）規正されているにもかかわらず、モータ駆動信号（駆動エネルギ）の送信が止まらない虞れがある。その場合、クロノグラフ指針が強制的（機械的）に帰零され停止されていることから外見上は帰零動作が正常に行われたように見えるので、ユーザは動作不良（異常）に気づかず、短時間のうちに電池の電力が消耗されてしまう虞れが高い。
【０００７】
なお、例えば、スタートボタンの押圧によりクロノグラフ指針が運針しているときはリセット操作を受付けないような機械的な構造を安全機構として設けることは提案されている（特許文献２）。
【０００８】
しかしながら、この特許文献２のクロノグラフ時計では、機械的な構造が複雑化して、コストも高くなるのを避け難い。
【０００９】
また、本来期待されるモータの回転がない場合に、実効電力の高い幅広のパルスを補正駆動パルスとして与えて輪列の抵抗の多少の増加等による運針の不具合に対処するようにすることは、知られている。また、該補正駆動による過度なエネルギ消費を避けるべく、補正駆動パルスによってもモータの回転が得られない場合には、運針を停止することも提案されている（特許文献３）。
【特許文献１】特開昭６１−７３０８５号公報
【特許文献２】特開２００６−９０７６９号公報
【特許文献３】特開２００３−４８７２号公報
【発明の開示】
【発明が解決しようとする課題】
【００１０】
本発明の目的は、前記諸点に鑑みなされたものであって、その目的とするところは、クロノグラフ指針が電気的に駆動制御され機械的に帰零制御されるタイプのクロノグラフ時計であって、機械的帰零状態において誤って電気的駆動が継続されて電池が消耗してしまうのを確実に防ぎ得るようにしたクロノグラフ時計を提供することにある。
【課題を解決するための手段】
【００１１】
本発明のクロノグラフ時計は、前記目的を達成すべく、クロノグラフ指針が電気的に駆動制御され機械的に帰零制御されるクロノグラフ時計であって、クロノグラフ指針運針用モータを回転させる回転駆動エネルギを該モータに与えるクロノグラフ指針運針用モータの駆動手段と、該駆動手段からクロノグラフ指針運針用モータへの回転駆動エネルギの供給を制御するクロノグラフ指針運針用モータの駆動制御手段とを有し、該駆動制御手段は、前記駆動手段に前記回転駆動エネルギの供給を行わせる主駆動パルスを与える駆動パルス発生手段と、該駆動パルス発生手段から前記駆動手段に主駆動パルスが与えられた条件下で前記クロノグラフ指針運針用モータが回転していない場合に非回転検出信号を出すクロノグラフ指針運針用モータの回転検出手段と、該回転検出手段から所定時間以上継続的に非回転検出信号が出された場合、クロノグラフ指針の帰零指示があったとみなして前記駆動パルス発生手段からの主駆動パルスの発生を停止させる帰零判定手段とを有する。
【００１２】
本発明のクロノグラフ時計では、「駆動パルス発生手段からクロノグラフ指針運針用モータの駆動手段に主駆動パルスが与えられた条件下でクロノグラフ指針運針用モータが回転していない場合に非回転検出信号を出すクロノグラフ指針運針用モータの回転検出手段と、該回転検出手段から所定時間以上継続的に非回転検出信号が出された場合、クロノグラフ指針の帰零指示があったとみなして駆動パルス発生手段からの主駆動パルスの発生を停止させる帰零判定手段と」が設けられているので、クロノグラフ指針運針用モータが非回転状態であるにもかかわらず該モータに対して回転駆動エネルギが長時間継続的に与えられるのを防ぎ、電気的エネルギの無駄な消費を最低限に抑え得る。
【００１３】
ここで、本発明のクロノグラフ時計において、「クロノグラフ指針運針用モータの回転検出手段」は、「クロノグラフ指針の帰零指示に応じてクロノグラフ指針が機械的に強制帰零されたにもかかわらず該帰零指示が電気的に検出されない場合に、非回転検出信号を発生する」ことになる。
【００１４】
すなわち、帰零指示に応じてクロノグラフ指針が機械的に強制帰零されたにもかかわらず該帰零指示が電気的に検出されない場合には、クロノグラフ指針運針用モータの回転検出手段からの非回転検出信号が所定時間以上継続的に出されると、帰零判定手段が前記駆動パルス発生手段からの駆動パルスの発生を停止させるので、クロノグラフ指針運針用モータに対する電気的な回転駆動エネルギの供給を確実に停止させ得る。
【００１５】
より詳しくいえば、電気系の誤動作により帰零指示情報が関連する電気的駆動系に与えられない場合には、クロノグラフ指針運針用モータに対する回転駆動が継続されてしまうのを避け難い。ところが、機械的帰零が行われるタイプのクロノグラフ時計では、クロノグラフ指針は機械的に帰零されるので、一見、帰零が完了したかに見える。しかも、機械的帰零が行われるタイプのクロノグラフ時計では、帰零完了後は、スタート指示がない限り、クロノグラフ指針のあるクロノグラフ真の回転が機械的に（強制的に）規正された状態に保たれるので、電気的な回転駆動が誤って継続されても、クロノグラフ指針のあるクロノグラフ真が非回転状態に保たれるから、電気的な回転駆動が継続されていることは、外見上は全くわからない。その結果、電気的な回転駆動エネルギの消費だけが生じて、電池が極めて短時間のうちに消耗する虞れがある。ところが、本発明のクロノグラフ時計では、クロノグラフ指針運針用モータの回転検出手段からの非回転検出信号が所定時間以上継続的に出されると、帰零判定手段は帰零指示があったとみなして駆動パルス発生手段による主駆動パルスの発生を停止させ、クロノグラフ指針運針用モータの駆動手段による回転駆動エネルギの供給を停止させるので、機械的に強制帰零されて回転が規正された状態における電池の無駄な消耗を最低限に抑え得る。
【００１６】
リセットボタンの押圧に伴う接点の電気的なＯＮ／ＯＦＦ動作の不良に起因する動作不良を避けるために関連する接点部分の機械的構造を複雑化しようとすると、占有スペースが大きくなり特定の場所をその配置に確保する必要が生じ、クロノグラフ時計の設計の自由度が低下したりコストが増大したりする虞れがある。これに対して、本発明のクロノグラフ時計では、一方ではこれらの虞れを避けつつ、他方では電気的な接点に多少の動作不良が生じてもこの動作不良が大きな不具合につながるのを避け得ることになる。
【００１７】
ここで、所定時間は、例えば、１０分程度である。但し、より長くても、より短くてもよく、厳密な時間の代わりに、非回転検出信号の発生回数等の如き時の経過でもよい。
【００１８】
本発明のクロノグラフ時計では、典型的には、クロノグラフ秒をカウントするクロノグラフ秒カウンタ及びクロノグラフ分をカウントするクロノグラフ分カウンタを更に有し、前記帰零判定手段は、回転検出手段から所定時間以上継続的に非回転検出信号が出された場合、クロノグラフ秒カウンタ及びクロノグラフ分カウンタをリセットするように構成されている。
【００１９】
これにより、電池エネルギの消耗が最低限に抑制された状態で、クロノグラフ動作が行われ得る。
【００２０】
本発明のクロノグラフ時計では、典型的には、前記帰零判定手段は、通常状態ではクロノグラフ指針の帰零指示に応じて電気的に作動して駆動パルス発生手段からの主駆動パルスの発生を停止させるように構成される。
【００２１】
この場合、帰零判定手段は、従来の帰零制御を行うことになる。換言すれば、本発明のクロノグラフ時計では、この従来の帰零制御を行う帰零判定手段に、電気的な帰零指示が適切に帰零判定手段に伝わらない場合であっても、モータの非回転を継続的に検出した場合に帰零指示があったとみなして帰零制御を行わせるようにしていることになる。
【００２２】
本発明のクロノグラフ時計では、典型的には、前記回転検出手段は、前記クロノグラフ指針運針用モータが回転していない場合、非回転検出信号を前記帰零判定手段に与えると共に、通常のモータ駆動パルスよりも幅広の補正駆動パルスを発生させるべく前記駆動パルス発生手段を制御するように構成される。
【００２３】
この場合、非回転状態になってしまっているか否かを短時間で確実に判定し得る。また、摩擦その他の原因で回転抵抗が一時的に高まっている場合には、これを早期に解消させることにより、強制的な回転禁止状態にある場合（機械的帰零が行われている場合）と早期に区別することが可能になる。
【００２４】
本発明のクロノグラフ時計では、典型的には、前記回転検出手段は、主駆動パルス直後に発生する回転検出用制御パルスに応答する誘起電圧を検出して回転・非回転を検出し、ロータが非回転状態の場合に非回転検出信号を前記帰零判定手段に与えると共に、前記補正駆動パルスを発生させるべく前記駆動パルス発生手段を制御するように構成される。
【００２５】
この場合、電池の消費エネルギを最低限に抑えた状態で、非回転状態にあるか否かを検出し得る。
【００２６】
本発明のクロノグラフ時計では、典型的には、通常動作では、リセットボタンの押圧に応じてリセット用接点部が閉成されて前記帰零判定手段が作動するように構成される。
【００２７】
本発明のクロノグラフ時計では、典型的には、通常動作では、リセットボタンの押圧に応じて押下げられるリセット用スイッチばねによりリセット用接点部が閉成されて前記帰零判定手段が作動するように構成される。
【００２８】
本発明のクロノグラフ時計では、典型的には、スタート／ストップボタンの押圧に応じて押下げられるスタート／ストップ用スイッチばねにより、スタート／ストップ用接点部が接触して前記クロノグラフ指針運針用モータの前記駆動制御手段が作動するように構成される。
【００２９】
本発明のクロノグラフ時計では、典型的には、クロノグラフ指針がハンマーにより強制的に帰零されるカムのある真に取付けられている。
【発明を実施するための最良の形態】
【００３０】
本発明の好ましい一実施の形態を添付図面に示した好ましい一実施例に基づいて説明する。
【実施例】
【００３１】
本発明の好ましい一実施例のクロノグラフ時計１は、図３に示したように、腕時計の形態で、中心軸線Ｃのまわりで回転され現在時刻を表示する時針１１，分針１２及び秒針１３を備えると共に、中心軸線Ｄのまわりで回転可能なクロノグラフ秒針１４及び中心軸線Ｅのまわりで回転可能なクロノグラフ分針１５を備える。
【００３２】
巻真１６をＦ１方向に二段引出した状態で巻真１６を回すことにより時刻表示針１１，１２，１３を回転し得、巻真１６をＦ１方向に一段引出した状態で巻真１６を回すことにより窓を介して表示される日車の日付１７を変更し得る。クロノグラフ時計１の通常の時刻表示にかかわる動作は、通常の電子時計と同じであり、当業者に周知であるので、以下では、通常運針に係る構造や機能や動作については、記載を省略する。
【００３３】
クロノグラフ時計１では、クロノグラフ指針１４，１５は、電気的に駆動制御され機械的に帰零制御される。
【００３４】
クロノグラフ時計１では、スタート／ストップボタン１８をＧ１方向に押すことにより、クロノグラフ時計１によるクロノグラフ動作の開始、停止が指示される。より詳しくは、クロノグラフ動作の開始／停止とは、クロノグラフ指針１４，１５の運針の開始／停止並びに後述のようにこれに関連する電気的な駆動系の動作及びクロノグラフ指針の電気的な位置情報の保持を指す。但し、場合によっては、クロノグラフ指針の電気的な位置情報は保持していなくてもよい。
【００３５】
クロノグラフ時計１では、また、リセットボタン１９をＨ１方向に押すことにより、クロノグラフ時計１によるクロノグラフ動作のリセットすなわち初期状態への復帰（帰零）が指示される。より詳しくは、クロノグラフ動作のリセットとは、クロノグラフ指針１４，１５の初期位置への強制的な復帰（帰零）、並びにクロノグラフ指針１４，１５の運針の停止及びクロノグラフ指針の電気的な位置情報のリセットを指す。
【００３６】
まず、クロノグラフ時計１の帰零にかかわる機械的な構造５及び動作について、図４の（ａ）及び（ｂ）に基づいて説明する。なお、クロノグラフ時計１の帰零にかかわる機械的な構造５は、図１のブロック図の左側部分にも、簡単に示されている。
【００３７】
クロノグラフ時計１は、クロノグラフ秒針１４のあるクロノグラフ秒真２１に取付けられたクロノグラフ秒カム２２及びクロノグラフ分針１５のあるクロノグラフ分真２３に取付けられたクロノグラフ分カム２４を備える。
【００３８】
クロノグラフ時計１は、また、復針伝達第一レバー（以下では、「復針伝達レバーＢ」ともいう）２５、復針伝達第二レバー（以下では、「復針伝達レバーＡ」ともいう）２６及び復針レバー２７を備える。
【００３９】
復針伝達第一レバー２５は、基準位置Ｊ１（実線）と帰零位置Ｊ２（点線）との間で回動可能であり、位置決めピン２５ａが係合する溝を備えたばね状位置決め部材２８と係合して、基準位置Ｊ１又は動作位置Ｊ２に位置決めされる。復針伝達第二レバー２６は、長穴２６ａで復針伝達第一レバー２５のピン２５ｂに係合している。復針伝達第一レバー２５が基準位置Ｊ１から帰零位置Ｊ２に移動され位置設定されると、復針伝達第二レバー２６が基準位置Ｋ１（実線）から帰零位置Ｋ２（点線）に移動される。一方、復針伝達第二レバー２６が帰零位置Ｋ２から基準位置Ｋ１に移動されると、復針伝達第一レバー２５が帰零位置Ｊ２から基準位置Ｊ１に移動される。復針レバー２７は、長穴２７ａで復針伝達第二レバー２６のピン２６ｂに係合し、復針伝達第二レバー２５の基準位置Ｋ１又は帰零位置Ｋ２への位置設定に応じて、基準位置Ｍ１（実線）又は帰零位置Ｍ２（点線）に位置決めされる。復針レバー２７が帰零位置Ｍ２に設定されると、復針レバー２７は、秒ハンマー部２７ｂでクロノグラフ秒カム２２を叩いてクロノグラフ秒針１４を初期位置に帰零させると共に、分ハンマー部２７ｃでクロノグラフ分カム２４を叩いてクロノグラフ分針１５を初期位置に帰零させる。なお、バネ２９は、溝２９ａ，２９ｂでピン２９ｃに係合可能で、バネ３３及び復針伝達第一レバー２５のピン２５ｂに係合される。
【００４０】
従って、クロノグラフ時計１の機械的帰零制御機構５は、帰零状態Ｓ２では、図４の（ｂ）に示した状態ないし位置を採り、スタート／ストップボタン１８によりスタート動作又はストップ動作が指示された状態Ｓ１では、図４の（ａ）に示した状態ないし位置を採る。
【００４１】
リセットボタン１９の奥端の近傍にはリセットボタン１９にＨ２方向の偏倚力を及ぼすリセットスイッチバネ３１が配置されている。リセットスイッチバネ３１は、状態Ｓ１においてリセットボタン１９がＨ１方向に押圧された際には、該ボタン１９に従って、復針伝達第一レバー２５の突起部２５ｃをＨ１方向に押して復針伝達第一レバー２５を位置Ｊ１から位置Ｊ２に変位させると共に、スイッチ接点３１として働いて、後で詳述する接点部３２に接触して、基本的には、リセット信号Ｑａを発生させる。状態Ｓ２においてリセットボタン１９が押圧されても状態Ｓ２は変らない。
【００４２】
スタート／ストップボタン１８の奥端の近傍にはスタート／ストップボタン１８にＧ２方向の偏倚力を及ぼすスタート／ストップスイッチバネ３３が配置されている。スタート／ストップスイッチバネ３３は、状態Ｓ２においてスタート／ストップボタン１８がＧ１方向に押圧された際には、該ボタン１８に従って、復針伝達第二レバー２６の突起部２６ｃをＧ１方向に押して復針伝達第二レバー２６を位置Ｋ２から位置Ｋ１に変位させると共に、復針伝達第一レバー２５を位置Ｊ２から位置Ｊ１に変位させ、復針レバー２７を位置Ｍ２から位置Ｍ１に変位させて、機械的帰零制御機構５を状態Ｓ１に戻す。これにより、ハンマー部２７ｂ，２７ｃによるハートカム２２，２４の回転規制が解除され、クロノグラフ指針１４，１５が回転可能になる。
【００４３】
次に、クロノグラフ時計１の電気的駆動機構６の概要を、主として図１のブロック図に基づいて説明する。
【００４４】
クロノグラフ時計１は、通常運針用モータ（図示せず）とは別にクロノグラフ指針運針用モータ３５を備え、該クロノグラフ指針運針用モータ３５は、回転駆動された際、クロノグラフ指針運針用輪列３６を介して、クロノグラフ指針１４，１５を運針させる。
【００４５】
モータ３５の回転は、発振回路４１及び分周回路４２を介して与えられるクロックパルスに基づいて駆動制御されるクロノグラフ指針運針用モータ３５の駆動制御用集積回路５０によって、制御される。
【００４６】
モータ駆動制御用集積回路５０は、駆動制御部５１と、駆動パルス発生回路５２と、モータ駆動回路５３と、帰零判定部５４と、クロノグラフ指針運針用モータ３５の回転検出手段としての回転検出回路５５とを有する。ここで、クロノグラフ指針運針用モータ３５の駆動手段は、モータ駆動回路５３からなり、クロノグラフ指針運針用モータ３５の駆動制御手段は、駆動パルス発生手段としての駆動パルス発生回路５２と、駆動制御部５１と、帰零判定手段としての帰零判定部５４と、回転検出手段としての回転検出回路５５とからなる。なお、モータ駆動制御用集積回路５０は、更に、クロノグラフ秒をカウントし該クロノグラフ秒情報を保持するクロノグラフ秒カウンタ５７、及びクロノグラフ分をカウントし該クロノグラフ分情報を保持するクロノグラフ分カウンタ５８を有する。クロノグラフ時をカウントし該クロノグラフ時情報を保持するクロノグラフ時カウンタが更に設けられていてもよい。
【００４７】
なお、クロノグラフ時計１が帰零（リセット）状態にある際又はクロノグラフ時計１が停止（ストップ）状態にある際におけるスタート／ストップボタン１８の押圧に伴うスイッチバネ３３のＧ１方向押下げによる開始（スタート）指示に応じて、接点部３４からスタート信号ないし作動信号Ｐａが送出される。一方、クロノグラフ運針動作の最中におけるスタート／ストップボタン１８の押圧に伴うスイッチバネ３３のＧ１方向押下げによる停止（ストップ）指示に応じて、接点部３４からのスタート信号ないし作動信号Ｐａの送出が停止される（又は接点部３４から駆動停止信号Ｐｂが送出される）。
【００４８】
駆動制御部５１が作動信号Ｐａを受けると、該駆動制御部５１は、駆動パルス発生回路５２に駆動制御信号Ｐｄを与えて、駆動パルス発生回路５２に所定パルス幅の主駆動パルスとしての駆動パルスＴ１を発生させ、モータ駆動回路５３が該駆動パルスＴ１により規定される駆動エネルギのモータ駆動信号Ｕ１をクロノグラフ指針運針用モータ３５に与えて、該モータ３５を回転駆動する。
【００４９】
一方、駆動制御部５１が停止信号Ｐｂを受ける（作動信号Ｐａの受信がなくなる）と、該駆動制御部５１は、駆動パルス発生回路５２への駆動制御信号Ｐｄの送出を停止して（所望ならば、駆動停止信号Ｐｆを与えてもよい）、駆動パルス発生回路５２からの駆動パルスＴ１の送出が停止され、モータ駆動回路５３によるモータ駆動信号Ｕ１の送出が停止され、クロノグラフ指針運針用モータ３５の回転駆動が停止されて、該モータ３５のロータないし出力軸の回転が停止し、クロノグラフ指針運針用輪列３６を介するクロノグラフ指針１４，１５の運針が停止される。
【００５０】
これに対して、リセットボタン１９の押圧によりスイッチバネ３１が押下げられて接点部３２が接触した場合、リセット信号Ｑａが帰零判定部５４に与えられる。帰零判定部５４は、接点部３２からのリセット信号Ｑａを受取ると、駆動パルス発生回路５２に駆動停止信号Ｐｆを与える。その結果、駆動パルス発生回路５２は、駆動パルスＴ１の発生を停止して、モータ駆動回路５３によるモータ駆動信号Ｕ１の送出を停止させる。従って、クロノグラフ指針運針用モータ３５の回転駆動が停止され、クロノグラフ指針１４，１５の運針が停止される。
【００５１】
なお、リセットボタン１９の押圧は、図４の（ａ）及び（ｂ）に関連して前述し且つ図１にブロック図で示したように、復針伝達第一レバー（復針伝達レバーＢ）２５を位置Ｊ１から帰零位置Ｊ２に変位させることにより、復針伝達第二レバー（復針伝達レバーＡ）２６を位置Ｋ１から帰零位置Ｋ２に変位させると共に復針レバー２７を位置Ｍ１から帰零位置Ｍ２に変位させ、ハンマー２７ｂ，２７ｃによりハートカム２２，２４を叩いて、クロノグラフ指針１４，１５を初期位置に戻す。
【００５２】
一方、リセットボタン１９のＨ１方向押圧により機械的帰零制御機構５が作動してクロノグラフ指針１４，１５が帰零したにもかかわらず電気的駆動機構６の接点部３２が作動しない場合（ないし接点部３２の閉成が感知されない場合）、接点部３２から帰零判定部５４に駆動停止信号Ｐｆが出されないので、駆動パルス発生回路５２からの駆動パルスＴ１の発生が継続され、モータ駆動回路５３から駆動信号Ｕ１の送出が継続される。従って、このままでは、ハンマー２７ｂ，２７ｃによって機械的に回転が規正されたクロノグラフ秒真２１及びクロノグラフ分真２３を回転駆動するための電気的エネルギの供給及び消費が続くことになる。
【００５３】
回転検出回路５５は、モータ３５が回転しているか否か（即ち、クロノグラフ指針運針用モータ３５がクロノグラフ指針運針用輪列３６を回転させているか否か）を検出し、クロノグラフ指針運針用モータ３５が回転していない場合、該モータ３５が非回転状態である旨を表すモータ非回転検出信号Ｖを帰零判定部５４に与えると共に、駆動パルス発生回路５２に通常の駆動パルスＴ１よりも幅広のパルスＴ２を補正駆動パルスとして発生させるべく該駆動パルス発生回路５２を制御する駆動制御信号Ｐｅを発する。
【００５４】
回転検出回路５５は、例えば、特許文献３に開示された技術と同様に、モータ３５のロータの回転振動によりモータ３５のステータコイルに誘起される電圧を検出するもので、前記駆動パルス発生回路５２が駆動パルスＴ１の直後に発生する回転検出用制御パルスＳＰ１に応答する誘起電圧を検出する。クロノグラフ指針運針用モータ３５のロータが回転（可能）状態にある場合には、回転検出用制御パルスに応答して所望の閾レベル以上の大きな誘起電圧がモータ３５のステータコイルに生じる。一方、モータ３５のロータが非回転（回転不能）状態にある場合には、ロータの有意な回転振動が実際上生じず、回転検出用制御パルスに応答して得られる誘起電圧が閾レベルよりも小さくなる。したがってこの誘起電圧が閾レベルよりも小さいか否かを検出することにより、モータ３５が非回転であるか否かを検出し得る。また、回転検出方法は、モータ３５のロータが回転を終えるタイミング以降に、ロータを振らせるべく狭幅の回転検出用駆動パルスＴｘを発生させるべく回転検出用駆動制御パルスＰｘを与えると共に回転検出用制御パルスに対する応答を検出してもよい。但し、クロノグラフ指針運針用モータ３５が非回転状態にあることを最低限の回路部品により最低限のエネルギ消費で確実に検出し得る限り、回転検出回路５５は、どのように構成されていてもよい。
【００５５】
従って、リセットボタン１９が押圧された場合であって、機械的帰零制御機構５がクロノグラフ指針１４，１５を機械的に強制帰零させているにもかかわらず接点部３２から電気的なリセット信号Ｑａが出ないことにより帰零判定部５４から駆動停止信号Ｐｆが出ない場合、回転検出回路５５による制御下で、一方では帰零判定部５４においてモータ非回転検出信号Ｖがカウントされ、他方では、幅広の補正駆動パルスＴ２の制御下で、駆動信号Ｕ１よりもエネルギの大きい駆動信号Ｕ２によりモータ３５が強制的に回転駆動されることが、繰返される。このようなクロノグラフ時計１の補正駆動は、例えば、帰零判定部５４がモータ非回転検出信号Ｖを継続的に１０分間受信したと判定するまで続けられる。帰零判定部５４は、モータ非回転検出信号Ｖの継続的受信が１０分間続くと、停止信号Ｐｆを駆動パルス発生回路５２に与えて駆動パルスＴ（この場合Ｔ２、但しＴ１でもよい）の送出を停止させる。これによりモータ駆動回路５３からの駆動制御信号Ｕ（この場合Ｕ２但し、Ｕ１でもよい）の送出を停止させてクロノグラフ指針運針用モータ３５の回転駆動を停止させると共に、回転検出停止制御信号Ｙを回転検出回路５５に与えて、該回転検出回路５５によるクロノグラフ指針運針用モータ３５の回転の検出及びモータ非回転検出信号Ｖの送出を停止させる。
【００５６】
次に、以上の如く構成されたクロノグラフ時計１の動作を、図１、図３及び図４を参照しつつ、主として図２に示したフローチャートに基づいて、説明する。このフローチャートは、図１のクロノグラフ時計１のうち、集積回路５０の駆動制御部５１及び帰零判定部５４の動作を、該動作に対応するプログラムの処理の流れとして示したものである。
【００５７】
クロノグラフ時計１では、最初の処理ステップＺ０１において、クロノグラフ動作の開始（スタート）が指示されたか否かをチェックする。このスタートチェックステップＺ０１では、スタート／ストップボタン１８のＧ１方向押圧によるスイッチバネ３３のＧ１方向変位によって接点部３４が閉成されないし接触して接点部３４から作動信号ないしスタート信号Ｐａが集積回路５０の駆動制御部５１に与えられたか否かがチェックされることに対応する。
【００５８】
スタート信号Ｐａが出されていない場合、ステップＺ０２においてリセット（帰零）指示が出されたか否かをチェックする。このリセットチェックステップＺ０２では、リセット（帰零）ボタン１８のＨ１方向押圧によるスイッチバネ３１のＨ１方向変位によって接点部３２が接触して接点部３２からリセット信号Ｑａが集積回路５０の帰零判定部５４に与えられたか否かがチェックされることに対応する。リセット信号Ｑａが出されていない場合、最初の処理ステップＺ０１に戻る。リセット信号Ｑａが出されている場合、ステップＺ０３においてクロノグラフ秒カウンタ５７及びクロノグラフ分カウンタ５８の内容をゼロに戻すカウントリセット処理をした後、最初の処理ステップＺ０１に戻る。
【００５９】
スタートチェックステップＺ０１において、クロノグラフ動作の開始指示（スタート信号Ｐａ）を確認した場合、ステップＺ０４において、クロノグラフ指針１４，１５の運針駆動を開始させる。クロノグラフ指針運針駆動ステップＺ０４では、駆動制御部５１からの制御信号Ｐｄに基づいて、駆動パルス発生部５２及びモータ駆動回路５３を介してクロノグラフ指針運針用モータ３５に回転駆動エネルギＵを与える。
【００６０】
次に、非回転チェックステップＺ０５において、回転検出回路５５が前述の様にモータ３５が非回転状態であるか否かをチェックする。即ち、クロノグラフ指針１４，１５の運針用モータ３５の出力軸がモータ駆動回路５３からの回転駆動エネルギＵに応じて回転しているか否かが、チェックされる。
【００６１】
クロノグラフ指針１４，１５の運針用モータ３５の出力軸がモータ駆動回路５３からの回転駆動エネルギＵに応じて回転している場合、ステップＺ０６において、クロノグラフのリセット指示（リセット信号Ｑａ）が出たか否かがチェックされる。ステップＺ０６自体は、ステップＺ０２と同じである。
【００６２】
リセット指示が出ていない場合、ステップＺ０７において、クロノグラフの停止指示（停止信号Ｐｂ）が出たか否かがチェックされる。
【００６３】
ストップ指示が出ていない場合、ステップＺ０４に戻って、クロノグラフの運針駆動を継続する。
【００６４】
ここで、スタートステップＺ０１の後、ステップＺ０７においてストップ指示（停止信号Ｐｂ）が出るまで、ステップＺ０４においてクロノグラフ指針１４，１５を運針させると共にその後ステップＺ０５，Ｚ０６，Ｚ０７を「Ｎｏ」で抜けることを繰返すことにより、クロノグラフ指針１４，１５の運針を行わせ、通常のクロノグラフ運針動作が行われる。
【００６５】
一方、ステップＺ０７においてストップ指示が出たこと（接点部３４からの停止信号Ｐｂの送出）を駆動制御部５１で検出するとステップＺ０８に入り、該ステップＺ０８において、クロノグラフ指針１４，１５の運針を停止させるストップ処理（駆動パルス発生回路５２に対する制御信号Ｐｄの送信の停止又は駆動停止信号Ｐｆの送信）を行ない、その後、ステップＺ０１に戻る。
【００６６】
また、ステップＺ０６においてリセット指示が出たこと（接点部３２からのリセット信号Ｑａの送出）を検出すると、帰零判定部５４は、駆動停止信号Ｐｆを駆動パルス発生回路５２に与える点でステップＺ０８と同様なクロノグラフ運針停止ステップＺ１１に入り、該運針停止ステップＺ１１においてクロノグラフ指針１４，１５の運針を停止させるストップ処理を行なう。次に帰零判定部５４は、ステップＺ０３と同様なカウントリセットステップＺ１２においてクロノグラフ秒カウンタ５７及びクロノグラフ分カウンタ５８の内容をゼロに戻すカウントリセット処理をした後、最初の処理ステップＺ０１に戻る。
【００６７】
以上において、ステップＺ０１からステップＺ０４への処理の移行が通常のスタート処理Ｌ１であり、ステップＺ０４が通常の運針処理Ｌ２であり、ステップＺ０７からステップＺ０８への移行及びステップＺ０８の処理が通常の停止（ストップ）処理Ｌ３であり、ステップＺ０２からステップＺ０３への移行及びステップＺ０３の処理が典型的なリセット（帰零）処理Ｌ４である。一方、ステップＺ０６からステップＺ１１への移行及びステップＺ１１，Ｚ１２の処理が運針動作中の強制リセット（帰零）処理Ｌ５である。
【００６８】
このクロノグラフ時計１では、更に、ステップＺ０４においてクロノグラフ運針駆動処理を行わせるべくモータ駆動回路５３から駆動信号Ｕ１をモータ３５に与えたにもかかわらず、ステップＺ０５においてモータ３５の出力軸が非回転状態であることが検出された場合、クロノグラフ時計１の補正駆動処理Ｌ６に入る。
【００６９】
この補正駆動処理Ｌ６では、ステップＺ２１において、クロノグラフ補正駆動を行う。この補正駆動ステップＺ２１では、回転検出回路５５から駆動パルス発生回路５２に補正駆動用の駆動制御信号Ｐｅを送出して、駆動パルス発生回路５２から幅広の補正駆動パルスをモータ駆動回路５３に与えさせ、モータ駆動回路５３がモータ３５に駆動制御信号Ｕ１よりも駆動エネルギの大きい駆動制御信号Ｕ２を与える。すなわち、この補正駆動ステップＺ２１では、不測の係合や摩擦等によりモータ３５のロータないし出力軸の回転が規制されているような場合でも、該不測の係合や摩擦等を乗り越えるようにモータ３５のロータないし出力軸を強制回転させようとする。
【００７０】
この補正駆動処理ステップないし強制回転処理ステップＺ２１の後、非回転所定時間経過判断ステップＺ２２において、モータ３５の非回転状態が所定時間ΔＴを経過したか否かをチェックする。この時間の計測は、例えば、ステップＺ０１に戻るごとにリセットされ、ステップＺ２１からＺ２２に入ることにより開始・積算される。
【００７１】
非回転時間ｔが所定時間ΔＴだけ経過していない場合（ｔ＜ΔＴ）、ステップＺ０６に戻ってリセット指示がなされたか否かがチェックされ、リセット指示もストップ指示もない場合、ステップＺ０６，Ｚ０７を通った後、ステップＺ０４における運針駆動が継続されると共に、非回転の検出に応じて補正駆動処理Ｌ６のステップＺ２１に戻る。
【００７２】
従って、クロノグラフ時計１のリセットボタン１９が押圧されて機械的な帰零処理が行われることによりクロノグラフ指針１４，１５がハンマー２７ｂ，２７ｃ及びハートカム２２，２４により強制帰零されたにもかかわらず、接点部３２からのリセット信号Ｑａが検出されず、電気的には、リセット指示がなかったとみなされる場合、ステップＺ２１，Ｚ２２，Ｚ０６，Ｚ０７，Ｚ０４，Ｚ０５の処理が繰返される。その結果、非回転時間ｔが所定時間ΔＴ（例えば、１０分）に達すると（ｔ≧ΔＴ）、ステップＺ２２の非回転所定時間経過チェックステップＺ２２をＹｅｓで抜けて、強制的リセット処理Ｌ５のステップＺ１１，Ｚ１２を通って元に戻る。
【００７３】
従って、クロノグラフ時計１では、接点３２が誤動作した場合であっても、確実に帰零制御が行われ得る。それ故、電池の無駄な消耗を最低限に抑え得る。また、接点３２として比較的簡単な構造で多少の誤作動の虞れのあるものを制約された姿勢で制約された場所に配置しても、該接点３２に起因する不利益を最低限に抑え得る。
【００７４】
なお、モータ３５の非回転が不測の係合や摩擦等によって生じたような場合、補正駆動処理Ｌ６が例えば数回行われるうちに非回転状態が解消され得るから、非回転所定時間ｔが所定時間ΔＴに達しないうちに、ステップＺ０１に戻って時間ｔがゼロに戻される。
本実施例においては、クロノ秒針が６時側、クロノ分針が９時側に配置されたクロノグラフの例を用いて説明したが、針１３をクロノ秒針として用いるセンタークロノグラフに適用しても良い。
【図面の簡単な説明】
【００７５】
【図１】本発明の好ましい一実施例のクロノグラフ時計のクロノグラフ機構のブロック図。
【図２】図１のクロノグラフ時計の操作及び動作を示したフローチャート。
【図３】図１のクロノグラフ時計の外観を示した平面説明図。
【図４】図１のクロノグラフ時計のクロノグラフ機構の機械的な構造の概要を示したもので、（ａ）はスタート／ストップボタンの押圧によりクロノグラフ指針が運針状態にある場合におけるクロノグラフ機構の機械的な構造の平面説明図、（ｂ）はリセットボタンの押圧により帰零状態にある場合におけるクロノグラフ機構の機械的な構造の平面説明図。
【符号の説明】
【００７６】
１  クロノグラフ時計
５  機械的帰零制御機構
６  電気的駆動機構
１１  時針
１２  分針
１３  秒針
１４  クロノグラフ秒針
１５  クロノグラフ分針
１６  巻真
１７  日付
１８  スタート／ストップボタン
１９  リセットボタン
２１  クロノグラフ秒真
２２  クロノグラフ秒カム
２３  クロノグラフ分真
２４  クロノグラフ分カム
２５  復針伝達第一レバー（復針伝達レバーＢ）
２５ａ  位置決めピン
２５ｂ  ピン
２５ｃ  突起部
２６  復針伝達第二レバー（復針伝達レバーＡ）
２６ａ  長穴
２６ｂ  ピン
２７  復針レバー
２７ａ  長穴
２７ｂ  秒ハンマー部
２７ｃ  分ハンマー部
２８  ばね状位置決め部材
３１  リセットスイッチバネ
３２  接点部
３３  スタートストップスイッチバネ
３４  接点部
３５  クロノグラフ指針運針用モータ
３６  クロノグラフ指針運針用輪列
４１  発振回路
４２  分周回路
５０  モータ駆動制御用集積回路
５１  駆動制御部
５２  駆動パルス発生回路
５３  モータ駆動回路
５４  帰零判定部
５５  回転検出回路
Ｃ  中心軸線
Ｄ  中心軸線
Ｅ  中心軸線
Ｆ１  方向
Ｇ１，Ｇ２  方向
Ｈ１，Ｈ２  方向
Ｊ１，Ｋ１，Ｍ１  基準位置
Ｊ２，Ｋ２，Ｍ２  帰零位置
Ｌ１  スタート処理
Ｌ２  通常の運針処理
Ｌ３  通常の停止処理
Ｌ４  帰零処理
Ｌ５  強制帰零処理
Ｌ６  補正駆動処理
Ｐａ  作動信号
Ｐｂ  駆動停止信号
Ｐｄ  駆動制御信号
Ｐｅ  駆動制御信号
Ｐｆ  駆動停止信号
Ｑａ  リセット信号
Ｓ１  運針状態又は停止状態
Ｓ２  帰零状態
ｔ  非回転時間
Ｔ１  駆動パルス（主駆動パルス）
Ｔ２  補正駆動パルス
Ｕ１  モータ駆動信号
Ｖ  モータ非回転検出信号
Ｙ  回転検出停止制御信号
Ｚ０１，Ｚ０２，Ｚ０３，Ｚ０４，Ｚ０５，Ｚ０６，Ｚ０７，Ｚ０８、Ｚ１１，Ｚ１２，Ｚ２１，Ｚ２２  処理ステップ
ΔＴ  所定時間
【図１】
2009174949.tif 000003
【図２】
2009174949.tif 000004
【図３】
2009174949.tif 000005
【図４】
2009174949.tif 000006